(57)【特許請求の範囲】
【請求項１】
溶接を行う溶接装置であって、
溶接電極と溶接対象物との間に電力を供給するための溶接電源部と、
前記溶接電源部を冷却するための１以上の第１のファンと、
前記第１のファンを取り付けるための第１のファン取付板と、
前記第１のファン取付板を取り付けるためのファン取付部と、
前記ファン取付部と前記第１のファン取付板に組付き、
前記ファン取付部に対して前記第１のファン取付板が開閉する回転機構と、を備え、
前記回転機構により前記第１のファン取付板が、操作面側に開閉する、溶接装置。
【請求項２】
前記ファンの配線が、前記第１のファン取付板が開閉される回転軸側に配置されている請求項１に記載の溶接装置。
【請求項３】
溶接を行う溶接装置であって、
前記溶接装置の操作面側である前面側に、
開閉可能な端子カバーと、
前記端子カバーの内側に配置された溶接電力を溶接電極と溶接対象物とに供給するための出力端子と、
前記出力端子を取り付ける出力端子取付板と、
溶接電極と溶接対象物との間に電力を供給するための溶接電源部と、
前記出力端子取付板を貫通して、溶接電源部に冷却風を送風するための第２のファンと、
前記開閉可能な端子カバーを開いた状態で、前記出力端子取付板に対して着脱可能な、前記第２のファンが取り付けられた第２のファン取付板と、を備え、
前記開閉可能な端子カバーは、操作面側に開閉する、溶接装置。
【発明の詳細な説明】
【技術分野】
【０００１】
本発明は溶接装置に関し、特に冷却のためのファンを備えたものに関するものである。
【背景技術】
【０００２】
近年、産業用機器の稼働率は非常に高くなっている。また、溶接装置の稼働率も同様に非常に高くなっており、溶接装置の稼働率が高くなったことに伴い、溶接装置内部を冷却するファンが吸い込む粉塵やヒュームが溶接装置内部に堆積する問題も増加傾向にある。
【０００３】
このような状況下で溶接装置の内部清掃等、メンテナンスの容易性が重要視されている。従来、この種の溶接装置としては、例えば特許文献１に記載されているようなものがあった。図７は、従来の溶接装置の概略構成を示す図である。なお実際にはアーク溶接を行なわせるための具体的な回路構成については、本発明の説明には直接関係しないので説明を省略する。図７において、溶接装置は、筐体２０１と、図示しない溶接電極と溶接対象物との間に電力を供給するための溶接電源部の主半導体を、冷却する放熱フィン２０４と、前記筐体２０１内に設けられたファン２０２と、前記ファン２０２と、前記放熱フィン２０４にファン２０２を取り付けるファン取付金具２０３とを備えている。
【０００４】
さらに、前記ファン取付金具２０３の側面に前記放熱フィン２０４に堆積する粉塵やヒュームを除去することを目的として設けられた開口部２０５と、前記開口部２０５を塞ぐための取付板２０６とを備えている。
取付板２０６を取り外して、前記開口部２０５から放熱フィンに堆積した粉塵やヒュームを除去することで、前記ファン取付金具２０３を取り外すことなく清掃作業を行っていた。
【先行技術文献】
【特許文献】
【０００５】
【特許文献１】特許第５４９３８０８号
【発明の概要】
【発明が解決しようとする課題】
【０００６】
しかし、特許文献１に記載の構造は、ファン取付金具２０３の側面に開口部２０５があるため、ファン取付金具２０３を取り外さずに清掃作業が行えるが、粉塵やヒュームが堆積するファン２０２の正面側からではなく、ファン２０２の側面から清掃作業することになり、粉塵やヒュームが堆積する正面側から清掃作業ができないため、放熱フィンの清掃作業性については改善が必要であった。本発明は、内部清掃が容易に行えることにより、メンテナンス性が飛躍的に向上する構成の溶接装置を提供することを目的とする。
【課題を解決するための手段】
【０００７】
上記課題を解決するために、本発明の溶接装置は、溶接を行う溶接装置であって、
溶接電極と溶接対象物との間に電力を供給するための溶接電源部と、
前記溶接電源部を冷却するための１以上の第１のファンと、
前記第１のファンを取り付けるための第１のファン取付板と、
前記第１のファン取付板を取り付けるためのファン取付部と、
前記ファン取付部と前記第１のファン取付板に組付き、
前記ファン取付部に対して前記第１のファン取付板が開閉する回転機構と、を備えるものである。
【０００８】
また、前記ファンの配線が、前記ファン取付板が開閉される回転軸側に配置されているものである。
【０００９】
また、溶接を行う溶接装置であって、
前記溶接装置の操作面側である前面側に、
開閉可能な端子カバーと、
前記端子カバーの内側に配置された溶接電力を溶接電極と溶接対象物とに供給するための出力端子と、
前記出力端子を取り付ける出力端子取付板と、
溶接電極と溶接対象物との間に電力を供給するための溶接電源部と、
前記出力端子取付板を貫通して、前記リアクタ等の溶接電源部に冷却風を送風するための第２のファンと、
前記開閉可能な端子カバーを開いた状態で、前記出力端子取付板に対して着脱可能な、前記第２のファンが取り付けられた第２のファン取付板と、を備えたものである。
【発明の効果】
【００１０】
以上のように、本発明は、溶接電極と溶接対象物との間に電力を供給するための溶接電源部に対して、冷却用のファンを開閉または、着脱可能とすることにより、ファンの冷却風が流入する正面側から清掃することが可能となり、清掃作業が容易に行えることにより、メンテナンス性を大幅に向上させることができる。
【図面の簡単な説明】
【００１１】
【図１】本発明の溶接装置の実施の形態１における第１のファン取付板を閉じた状態を示す図
【図２】本発明の溶接装置の実施の形態１における第１のファン取付板を開けた状態を示す図
【図３】本発明の溶接装置の実施の形態２における概略構成を示す図
【図４】本発明の溶接装置の実施の形態３における溶接装置の外観の概略構成を示す図
【図５】本発明の溶接装置の実施の形態３での溶接装置内における第２のファン取付板を装着した状態の概略構成を示す図
【図６】本発明の溶接装置の実施の形態３での溶接装置内における第２のファン取付板を取り外した状態を示す図
【図７】従来の溶接装置の概略構成を示す図
【発明を実施するための形態】
【００１２】
（実施の形態１）
図１、図２を用いて、本実施の形態における溶接装置の構成について説明する。図１、図２は本実施の形態における溶接装置の構成を示す図である。
なお実際にはアーク溶接を行なわせるための具体的な回路構成については、本発明の説明には直接関係しないので説明を省略する。
図１において、筐体１００は溶接装置全体の筐体となる。
この筐体１００において、溶接装置は、溶接電極と溶接対象物との間に電力を供給するための溶接電源部１０４と、前記溶接装置の操作面１０１側である前面側に、溶接電源部１０４を冷却するための１以上の第１のファン１０２ａと、第１のファン１０２ａを取り付けるための第１のファン取付板１０３と、
第１のファン取付板１０３を取り付けるためのファン取付部１０６と、
ファン取付部１０６と第１のファン取付板１０３に組付き、
ファン取付部１０６に対して第１のファン取付板１０３が開閉する回転機構１２０とを備える。
【００１３】
溶接電源部１０４は、溶接電極と溶接対象物との間に電力を供給する電気回路である。第１のファン１０２ａは、溶接電源部１０４の冷却用ファンであり、第１のファン取付板１０３は、前記第１のファン１０２ａを取り付ける構造物である。
また、ファン取付部１０６は、第１のファン取付板１０３を取り付ける機能と、第１のファン１０２ａの送風によって溶接装置の内部に取り込まれた冷却風と、溶接電源部１０４を隔てるための遮蔽板との機能も兼ねる。
ファン取付部１０６は、溶接電源部１０４の前面側に配置し、第１のファン１０２ａと、第１のファン取付板１０３は、ファン取付部１０６の前面に配置する。
回転機構１２０は、溶接装置の操作面１０１側の前面側に配置された第１のファン１０２ａを有する第１のファン取付板１０３をファン取付部１０６に対して開閉させる機能を有する。
【００１４】
なお、実際の溶接装置において、回転機構１２０は蝶番を使用している。
以上のように構成された溶接装置について、その動作を説明する。
まず、１以上の第１のファン１０２ａが取り付けられている第１のファン取付板１０３が、ファン取付部１０６に取り付いた状態で配置されている。前記第１のファン取付板１０３は、回転機構１２０により、ファン取付部１０６に対して開閉することができる。図１は、溶接装置の操作面１０１側の前面側に配置された第１のファン１０２ａを有する第１のファン取付板１０３をファン取付部１０６に対して閉じた状態の図である。第１のファン取付板１０３の開いた状態については、図２を用いて説明する。第１のファン取付板１０３を開けると、溶接電極と溶接対象物との間に電力を供給するための溶接電源部１０４が露出し、かつ、ファンの冷却風を受ける面が露出するため、堆積する粉塵やヒュームの清掃作業が、作業者の操作面１０１側である溶接装置の前面側から容易に行える。実際の溶接装置では、第１のファン取付板１０３を開けることにより、溶接電源部１０４の半導体冷却用の放熱フィン１０５が露出することで、放熱フィン１０５に堆積する粉塵やヒュームを第１のファン１０２ａの冷却風が流入する正面側から清掃することが可能となり、清掃作業性が大幅に向上する。
【００１５】
このように、本発明の実施の形態１の構造は、回転機構１２０により、ファンを溶接装置から取り外すことなく、１以上の第１のファン１０２ａが取り付けられている第１のファン取付板１０３を開閉可能とすることで、溶接電源部１０４を容易に露出させることが可能となるため、内部清掃が容易に行えることにより、メンテナンス性が大幅に向上する。
【００１６】
また、第１のファン１０２ａおよび第１のファン取付板１０３を取り外す必要がないため、清掃後のファン周辺の復帰作業が簡素化出来、作業性が著しく向上する。
また、溶接装置前面の操作面１０１側に、第１のファン１０２ａを配置しているため、清掃作業が溶接装置の操作面１０１側である前面側から行えることで、メンテナンスが容易な構造となる。
【００１７】
以上のように、本発明は、ファン取付部１０６と前記第１のファン取付板１０３に組付き、ファン取付部１０６に対して第１のファン取付板１０３が開閉する回転機構１２０とを備えることにより、溶接電源部１０４に堆積する粉塵やヒュームの清掃作業を、作業者の操作面１０１側である溶接装置の前面側から容易に行えることにより、メンテナンス性を大幅に向上させることができる。
【００１８】
（実施の形態２）
本実施の形態の形態において実施例１と同様の構成については同一の番号を付して詳細な説明を省略する。図３において、配線１４０は、第１のファン１０２ａの電気配線である。実施の形態１と異なるのは、配線１４０が、第１のファン取付板１０３の回転機構１２０が設けられ、第１のファン取付板１０３が開閉される回転軸側に配置されていることである。
【００１９】
これにより、溶接電源部１０４を露出するための第１のファン取付板１０３の開閉時に配線１４０が第１のファン取付板１０３と干渉しないため、配線１４０を一時的に外すことなく、１以上の第１のファン１０２ａが取り付けられている第１のファン取付板１０３の開閉が可能となり、メンテナンス性が向上する溶接装置とすることができる。
【００２０】
（実施の形態３）
本実施の形態の形態において実施の形態１と同様の構成については同一の番号を付して詳細な説明を省略する。図４から図６の本発明の溶接装置の実施の形態３での溶接装置において、
溶接装置は、溶接装置の操作面１０１側である前面側に、
開閉可能な端子カバー１０７と、
端子カバー１０７の内側に配置された溶接電力を溶接電極と溶接対象物とに供給するための出力端子１１１ａ、１１１ｂと、
出力端子１１１ａ、１１１ｂを取り付ける出力端子取付板１１２と、
溶接電極と溶接対象物との間に電力を供給するための溶接電源部１０４と、
出力端子取付板１１２を貫通して、溶接電源部１０４に冷却風を送風するための第２のファン１０２ｂと、
開閉可能な端子カバー１０７を開いた状態で、出力端子取付板１１２に対して着脱可能な、第２のファン１０２ｂが取り付けられた第２のファン取付板１１３と、を備えたものである。
【００２１】
端子カバー１０７は、開閉可能な構造物で、溶接装置の筐体１００に取り付けられている感電保護用のカバーであり、出力端子１１１ａ、１１１ｂは、図示しない溶接電極と溶接対象物に電力を供給するための端子で、端子カバー１０７の内側に配置されている。出力端子取付板１１２は、筐体１００に取り付けられており、出力端子１１１ａ、１１１ｂを取り付ける構造物で、溶接電源部１０４と外部を遮蔽する機能も兼ねている。第２のファン１０２ｂは、出力端子取付板１１２を貫通して、溶接装置内部の溶接電源部１０４を冷却するための冷却器であり、第２のファン取付板１１３は、第２のファン１０２ｂを取り付け、出力端子取付板１１２に対し、着脱可能な構造物で、出力端子取付板１１２を貫通して取り付ける。
【００２２】
以上のように構成された溶接装置について、その動作を説明する。まず、端子カバー１０７を開けると、出力端子１１１ａ、１１１ｂと、出力端子取付板１１２と、出力端子取付板１１２に取り付けられている第２のファン取付板１１３と、第２のファン取付板１１３に取り付けられている第２のファン１０２ｂが露出する。次に図６を用いて説明する。
【００２３】
開閉可能な端子カバー１０７を開いた状態（図４参照）で、第２のファン１０２ｂを取り付けた状態で着脱可能な第２のファン取付板１１３を出力端子取付板１１２から取り外すと、溶接電源部１０４が露出し、かつ、ファンの冷却風を受ける面が露出するため、堆積する粉塵やヒュームの清掃作業が容易に行える。
実際の溶接装置では、第２のファン取付板１１３を取り外すことで、溶接電源部１０４のリアクタ１０８が露出することで、リアクタ１０８に堆積する粉塵やヒュームを第２のファン１０２ｂの冷却風が流入される正面側から清掃することが可能となり、清掃作業性が大幅に向上する。
【００２４】
なお、出力端子は、溶接装置の操作面１０１側にあり、溶接装置の前面側から清掃作業が溶接装置前面から行えることで、メンテナンスが容易な構造となる。
【００２５】
このように本発明の構造では、出力端子取付板１１２を貫通する着脱可能なファンとすることで、作業者の操作面１０１側である溶接装置の前面側から溶接電源部１０４の清掃が容易に行えることにより、メンテナンス性を大幅に向上した溶接装置とすることができる。
【００２６】
また、溶接装置は、作業現場にて縦方向に段積みや横方向に複数台並べる構成で使用される場合が多く、本発明の溶接装置の前面側からのメンテナンス作業性の向上は特に重要である。
【００２７】
以上のように、本実施の形態１、２、３の溶接装置によれば、
溶接電極と溶接対象物との間に電力を供給するための溶接電源部に対して、冷却用のファンを開閉または、着脱可能とすることにより、
溶接電源部に堆積する粉塵やヒュームの清掃作業を、作業者の操作面側である溶接装置の前面側から容易に行えることにより、複数台並べて設置される場合であってもメンテナンス性を飛躍的に向上させることが出来る。
【産業上の利用可能性】
【００２８】
本発明の溶接装置は、溶接電極と溶接対象物との間に電力を供給するための溶接電源部に対して、溶接装置の操作面側である前面側から冷却用のファンを有したファン取付け板を開閉または着脱可能とすることにより、ファンの冷却風が流入する正面側から容易に清掃することが可能となり、メンテナンス性を大幅に向上させることで、冷却機能を有する溶接装置として産業上有用である。
【符号の説明】
【００２９】
１００、２０１    筐体
１０１    操作面
１０２ａ    第１のファン
１０２ｂ    第２のファン
１０３    第１のファン取付板
１０４    溶接電源部
１０５    放熱フィン
１０６    ファン取付部
１０７    端子カバー
１０８    リアクタ
１１１ａ、１１１ｂ  出力端子
１１２    出力端子取付板
１１３    第２のファン取付板
１２０    回転機構
１４０    配線
２０２    ファン
２０３    ファン取付金具
２０４    放熱フィン
２０５    開口部
２０６    取付板
【図１】
0006613446.tif 000002
【図２】
0006613446.tif 000003
【図３】
0006613446.tif 000004
【図４】
0006613446.tif 000005
【図５】
0006613446.tif 000006
【図６】
0006613446.tif 000007
【図７】
0006613446.tif 000008